(57)【要約】  支持フレーム（１２）に対して移動する搬送体（１４）上にスラリー（１６）を堆積させ、切断した繊維（１８）をスラリー（１６）上に堆積させる、構造用パネルの生産ライン（１０）、において使用する埋込み装置（２０）は、支持フレーム（１２）に固定されている第１の細長い軸（２２）であって、軸線方向に間隔を置いた第１の複数の円盤（３２）を有する、第１の細長い軸と、支持フレーム（１２）に固定されている第２の細長い軸（２４）であって、軸線方向に間隔を置いた第２の複数の円盤（３２）を有する、第２の細長い軸と、を含んでおり、第１の軸（２２）が、円盤（３２）が互いに噛み合うように第２の軸（２４）に対して配置されている。この噛み合い関係によって、スラリー（１６）への繊維（１８）の埋込みが増進され、尚早に凝結したスラリー粒子による装置の詰まりも防止される。【選択図】  図１
2007505768.tif 000002
【特許請求の範囲】
【請求項１】
支持フレーム（１２）に対して移動する搬送体（１４）上にスラリー（１６）を堆積させ、切断した繊維（１８）を前記スラリー（１６）上に堆積させる、構造用パネルの生産ライン（１０）、において使用する埋込み装置（２０）であって、
前記支持フレーム（１２）に固定されている第１の細長い軸（２２）であって、軸線方向に間隔を置いた第１の複数の円盤（３２）を有する、前記第１の細長い軸と、
前記支持フレーム（１２）に固定されている第２の細長い軸（２４）であって、軸線方向に間隔を置いた第２の複数の円盤（３２）を有する、前記第２の細長い軸と、
を備えており、
前記第１の軸（２２）が、前記円盤（３２）が互いに噛み合うように前記第２の軸（２４）に対して配置されている、
埋込み装置。
【請求項２】
側面から見たとき、前記第１及び第２の複数の円盤（３２）の周囲（４０）が互いに重なっている、請求項１に記載の装置（２０）。
【請求項３】
前記軸（２２，２４）が、前記生産ライン（１０）に沿っての前記スラリー（１６）の移動方向に対してほぼ横方向であるように前記フレーム（１２）上に配置されている、請求項１に記載の装置（２０）。
【請求項４】
前記軸（２２，２４）が、互いにほぼ平行であるように前記フレーム（１２）上に配置されている、請求項３に記載の装置（２０）。
【請求項５】
前記軸（２２，２４）が、前記第１及び第２の複数の円盤（３２）の隣り合っている対のそれぞれの間に相対的に小さい直径のスペーサ円盤（３４）を含んでおり、前記第１及び第２の複数の円盤（３２）の周囲（４０）が、前記対向するスペーサ円盤（３４）の対応する周囲（４２）に近接している、請求項４に記載の装置（２０）。
【請求項６】
前記円盤（３２）が、一緒に回転するように前記対応する細長い軸（２２，２４）に固定されている、請求項１に記載の装置（２０）。
【請求項７】
前記第１の複数の円盤（３２）が、前記スラリー（１６）に前記繊維（１８）を埋め込む目的で、第１の溝パターン（４４）が前記スラリー（１６）に形成されるように、前記フレーム（１２）に対して配置されており、前記第２の複数の円盤（３２）が、第２の溝パターン（５２）が前記スラリー（１６）に形成されるように、前記フレーム（１２）に対して配置されており、前記第２のパターン（５２）が前記第１のパターン（４４）から横に隔てられている、請求項１に記載の装置（２０）。
【請求項８】
前記軸（２２，２４）が同じ方向に回転するように構成されている、請求項１に記載の装置（２０）。
【請求項９】
ボード生産ライン（１０）における構造用ボードの生産において使用される凝結型スラリー（１６）に繊維（１８）を埋め込むステップにおいて使用する埋込み装置（２０）であって、
前記フレーム（１２）に固定されている第１の細長い支持軸（２２）であって、相対的に小さい直径の第１の複数の円盤（３４）の間に、前記軸（２２）に沿って軸線方向に積み重ねられている、相対的に大きい直径の第１の複数の円盤（３２）、を有する、前記第１の細長い支持軸と、
前記フレーム（１２）に固定されている第２の細長い支持軸（２４）であって、相対的に小さい直径の第１の複数の円盤（３４）の間に、前記軸（２４）に沿って軸線方向に積み重ねられている、相対的に大きい直径の第２の複数の円盤（３２）、を有する、前記第２の細長い支持軸と、
を備えており、
前記第１及び第２の支持軸（２２，２４）が、相対的に大きい直径の前記第１の複数の円盤（３２）が相対的に大きい直径の前記第２の複数の円盤（３２）と噛み合うように、互いに対して配置されている、
埋込み装置。
【請求項１０】
側面から見たとき、前記相対的に大きい直径の円盤（３２）の周囲（４０）が互いに重なっている、請求項９に記載の装置（２０）。
【請求項１１】
前記大きい直径の円盤（３２）と前記小さい直径の円盤（３４）のそれぞれが厚さを有し、前記大きい直径の円盤（３２）の前記厚さと、前記小さい直径の円盤（３４）の前記厚さとがほぼ等しい、請求項９に記載の装置（２０）。
【請求項１２】
前記軸（２２，２４）が、前記生産ライン（１０）に沿っての前記スラリー（１６）の移動方向に対してほぼ横方向であるように前記フレーム（１２）上に配置されており、互いにほぼ平行である、請求項９に記載の装置（２０）。
【請求項１３】
前記円盤（３２，３４）が、一緒に回転するように前記対応する細長い軸（２２，２４）に固定されている、請求項９に記載の装置（２０）。
【請求項１４】
ボード生産ライン（１０）における構造用ボードの生産において使用される凝結型スラリー（１６）に繊維（１８）を埋め込むステップにおいて使用する埋込み装置（２０）であって、
前記フレーム（１２）に固定されている第１の細長い支持軸（２２）であって、相対的に小さい直径の第１の複数の円盤（３４）の間に、前記軸（２２）に沿って軸線方向に積み重ねられている、相対的に大きい直径の第１の複数の円盤（３２）、を有する、前記第１の細長い支持軸と、
前記フレーム（１２）に固定されている第２の細長い支持軸（２４）であって、相対的に小さい直径の第１の複数の円盤（３４）の間に、前記軸（２４）に沿って軸線方向に積み重ねられている、相対的に大きい直径の第２の複数の円盤（３２）、を有する、前記第２の細長い支持軸と、
を備えており、
前記第１及び第２の支持軸（２２，２４）が、相対的に大きい直径の前記第１の複数の円盤（３２）が相対的に大きい直径の前記第２の複数の円盤（３２）と噛み合うように、互いに対して配置されており、
前記第１及び第２の軸（２２，２４）と、前記関連付けられている円盤（３２，３４）とが、同じ方向に回転する、
埋込み装置。
【発明の詳細な説明】
【技術分野】
【０００１】
本発明は、繊維を凝結型スラリーに埋め込む装置に関し、具体的には、セメントボード又は構造用セメントパネル（「ＳＣＰ」）の生産ラインに沿って凝結型セメントスラリーに繊維を埋め込むように設計されている装置に関する。
【発明の背景】
【０００２】
セメントパネルは、建設業界において、居住用構造物若しくは商業構造物、又はその両方の内壁及び外壁を形成するために使用されてきた。このようなパネルの利点として、石膏をベースとする標準的な壁板と比較しての耐湿性が挙げられる。しかしながら、そのような従来のパネルの欠点は、構造用合板やＯＳＢ（オリエンテッドストランドボード）には及ばないにせよ、同程度の構造強度もないことである。
【０００３】
一般に、セメントパネルは、強化材料又は安定化材料の層の間に少なくとも１層の硬化セメント又は硬化石膏の複合層を含んでいる。いくつかの場合、強化材料又は安定化材料は、ガラス繊維メッシュ又は同等物である。メッシュは、通常、ロールからシート式に凝結型スラリーの層の上又は間に適用される。従来のセメントパネルに使用されている生産手法の例は、米国特許第４，４２０，２９５号明細書、米国特許第４，５０４，３３５号明細書、及び米国特許第６，１７６，９２０号明細書に記載されており、これらの文書の内容は、本文書に参考とすることにより組み込まれる。更に、その他の石膏−セメント組成物は、米国特許第５，６８５，９０３号明細書、米国特許第５，８５８，０８３号明細書、及び米国特許第５，９５８，１３１号明細書に開示されている。
【０００４】
セメントパネルを製造する従来の工程の１つの欠点は、マット又はウエブとして組み込まれる繊維がスラリー中に適切且つ均一に分布せず、従って、繊維と基質との相互作用による結果としての強化特性が、各ボード層の厚さに依存してボードの厚さによって変化することである。スラリーが繊維網の中に十分に浸透していないと、繊維と基質との間の結合が不良となり、それに起因してパネル強度が低下する。また、スラリーと繊維とが分かれて層化した場合、繊維の結合及び分布が不十分であるため、パネル強度の向上が小さくなる。
【０００５】
セメントパネルを生産する従来の工程の別の欠点は、結果としての製品のコストが大きすぎ、従って、屋外用合板、構造用合板、或いはＯＳＢ（オリエンテッドストランドボード）との競争力がないことである。
【０００６】
従来のセメントパネルのコストが比較的高いことの１つの原因は、スラリーが特に粒子や塊として尚早に凝結することに起因する、生産ラインのダウンタイムによるものであり、このような粒子や塊は、製造されるボードの外観を損ない、生産設備の効率を低下させる。尚早に凝結したスラリーが製造設備に大量に蓄積すると、生産ラインを停止させる必要があり、従ってボードの最終的なコストが増す。
【０００７】
構造的な補強を有する構造用セメントパネル（ＳＣＰ）を製造する目的で、切断されたルーズなガラス繊維をスラリーと混合する場合には、繊維をスラリーに完全に混合する方法が必要となる。そのような均一な混合は、結果としてのパネル又はボードの望ましい構造強度を達成するうえで重要である。
【０００８】
このタイプの凝結型スラリーを混合するために使用される装置の設計上の基準は、製造工程の間、ボードの製造が中断されずに連続して行われる必要があることである。装置の清掃による生産ラインの停止を回避する必要がある。このことは、高速凝結剤（ｆａｓｔ  ｓｅｔｔｉｎｇ  ａｇｅｎｔ）又は急結剤がスラリーに導入されるときなど、急結型スラリーを生成するときに特に問題である。
【０００９】
移動する生産ラインにおいて構造用セメントパネルを製造するときの潜在的な問題は、スラリーの一部が尚早に凝結して、さまざまな大きさの塊が形成されることである。これらの塊が割れて遊離し、最終的なボード製品に組み込まれると、ボードの均一な外観が損なわれ、構造的な弱さの原因にもなる。構造用セメントパネルの従来の生産ラインにおいては、尚早に凝結したスラリーの粒子が最終的なボードに組み込まれることを回避するため、生産ライン全体を停止させて、詰まりの生じた装置を清掃しなければならない。
【００１０】
切断された強化繊維をスラリーに混合するために使用される装置の設計上の別の基準は、要求される強度を得るために、比較的厚いスラリーに繊維を実質的に均一に混合する必要があることである。
【００１１】
従って、塊又は凝結したスラリーによって装置が詰まる、又は機能が損なわれることがない方式において、ガラス繊維又はその他の構造上の強化繊維を凝結型スラリーに完全に混合する装置のニーズが存在している。
【発明の概要】
【００１２】
上に記載したニーズは、繊維によって強化されている凝結型スラリーボードの生産ラインに、ラインを横切って配置されている、少なくとも一対の細長い軸、を含んでいる埋込み装置、を特徴とする本発明によって満たされる。軸は、間隔を置いて互いに平行に配置されていることが好ましい。各軸は、軸線方向に間隔を置いた複数の円盤を軸に沿って有する。ボードの生産時、軸及び円盤は、軸線を中心に回転する。隣り合っている好ましくは平行な軸のそれぞれの円盤は、互いに噛み合っており、スラリーにおける「捏ね」又は「揉み」作用を形成し、この作用によって、前の時点で堆積させた繊維がスラリーに埋め込まれる。更に、円盤が近い位置で噛み合って回転する関係にあることにより、円盤上にスラリーが蓄積することが防止され、実際には「自己清掃」作用が形成され、この作用により、スラリーの早期の凝結した塊に起因するボードのラインのダウンタイムが大幅に減少する。
【００１３】
より具体的には、本発明は、支持フレームに対して移動する搬送体上にスラリーを堆積させ、切断した繊維をスラリー上に堆積させる、構造用パネルの生産ライン、において使用する埋込み装置を提供する。この装置は、支持フレームに固定されている第１の細長い軸であって、軸線方向に間隔を置いた第１の複数の円盤を有する、第１の細長い軸と、支持フレームに固定されている第２の細長い軸であって、軸線方向に間隔を置いた第２の複数の円盤を有する、第２の細長い軸と、を含んでおり、第１の軸が、円盤が互いに噛み合うように第２の軸に対して配置されている。
【００１４】
好ましい実施形態においては、主円盤又は相対的に大きい直径の円盤の隣り合っている各対は、各軸において、相対的に小さい直径のスペーサ円盤によって隔てられている。この噛み合い関係においては、小さい直径のスペーサ円盤の周囲と、相対的に大きい直径の主円盤の対向する周囲とが近接して配置されており、このことによっても自己清掃作用が促進される。
【詳細な説明】
【００１５】
図１及び図２を参照して、この図は、構造用パネルの生産ライン（全体を番号１０で表してある）の一部を示している。生産ライン１０は、移動搬送体１４を支持している支持フレーム又は形成台１２を含んでいる。移動搬送体１４は、この分野において周知であるように、ゴム状のコンベヤベルト、或いは、クラフト紙又はリリース紙のウエブ、或いは凝結する前のスラリーを支持するように設計されているその他の支持材料のウエブ、のうちの少なくとも１つである。搬送体１４は、この分野において周知であるモーター、プーリー、ベルト、チェーン、又はローラー（図示していない）の組合せによって、支持フレーム１２に沿って移動する。また、本発明は、構造用セメントパネルの生産における使用を意図しているが、ボード又はパネルの生産において多量の繊維を凝結型スラリーに混合する状況において用途を見出せることが考えられる。
【００１６】
用途に応じて別のシーケンスが考えられるが、本発明においては、移動する搬送体ウエブ１４上にスラリー１６の層を堆積させて、均一なスラリーウエブを形成する。さまざまな凝結型スラリーが考えられるが、本埋込み装置は、構造用セメントパネルの生産において使用するように特に設計されている。従って、スラリーは、それぞれさまざまな量のポートランドセメント、石膏、骨材、水、急結剤、減水剤、発泡剤、充填剤、又はこの分野において周知であるその他の含有物から成ることが好ましい。上記のうちのいくつかを除いた、又は別の含有物を加えた、これらの含有物の相対的な量は、用途に適するように変えることができる。切断された繊維１８（好ましい実施形態においては切断されたガラス繊維）の供給を、移動するスラリーウエブ１６上に落下させる、又は撒く。
【００１７】
本埋込み装置（全体を番号２０で表してある）は、繊維１８をスラリーウエブ１６上に堆積させる位置のすぐ「下流」、又はすぐ後ろに位置するように、支持フレーム１２上に配置されている。この装置２０は、それぞれ端部２６を有する少なくとも２本の細長い軸２２，２４を含んでおり、端部２６は、支持フレーム１２の各側面に位置しているブラケット２８に係合している。２本の軸２２，２４を描いてあるが、必要であれば更なる軸を設けることができる。一組の軸の端部２６は、軸２２，２４がブラケット２８において軸線を中心に回転できるようにするための歯付きスプロケット又はプーリー３０（特に図２を参照）、又はその他の駆動機構を備えていることが好ましい。軸２２，２４及びそれに関連付けられている円盤３２，３４は、同じ方向に回転することが好ましい。この場合、電動式ベルト駆動、チェーン駆動、又は生産ラインに沿ったローラー又は軸を駆動するためのその他の一般的なシステム、が適していると考えられる。図に示したように、軸２２，２４は、支持フレーム１２上にほぼ横に取り付けられており、互いに間隔を置いたほぼ平行な関係にある。好ましい実施形態においては、軸２２，２４は、互いに平行である。
【００１８】
軸２２，２４のそれぞれは、軸線方向に間隔を置いた複数の主円盤又は相対的に大きな円盤３２を備えており、隣り合う円盤３２は互いに軸線方向に間隔が置かれている。この間隔は、隣り合っている一対の主円盤３２の間にそれぞれ位置している相対的に小さい直径の第２の複数のスペーサ円盤３４（図２）によって維持されている。図３に示したように、少なくとも主円盤３２、好ましくは主円盤３２とスペーサ円盤３４の両方は、一緒に回転するようにそれぞれの軸２２，２４にキーによって固定されていることが好ましい。歯付きスプロケット３０も、一緒に回転するように、キーによって、又はその他の方法によって軸２２，２４に固定されていることが好ましい。好ましい実施形態においては、各軸端部２６の横に位置している、キーによって固定されているカラー３６（特に図３を参照）が、止めキー（ｓｅｔ  ｋｅｙ）又は止めねじ３８などによって軸に固定されており、軸２２，２４上の円盤３２，３４を横の動きに対して保持している。
【００１９】
また、図１〜図３からわかるように、各軸２２，２４の円盤３２，３４は互いに噛み合っており、従って、軸２２の主円盤３２が軸２４の円盤３２の間に位置している。更に、図からわかるように、噛み合った状態では、主円盤３２の周縁部４０は互いに重なり、他方の軸の対向するスペーサ円盤３４の周縁部４２に対して、接近しているが回転する関係に配置されている（特に図３を参照）。軸２２，２４と、関連付けられている円盤３２，３４は、同じ方向「Ｒ」に回転することが好ましい（図３）。
【００２０】
円盤３２，３４の相対的な寸法は、用途に応じて変えることができるが、好ましい実施形態においては、主円盤３２は、厚さが１／４インチ、間隔が５／１６インチ隔である。従って、軸２２，２４の隣り合っている円盤３２が互いに噛み合うとき、接近しているが回転可能な隙間（ｔｏｌｅｒａｎｃｅ）が形成される（特に図２を参照）。この接近した隙間によって、凝結型スラリー１６の粒子が円盤３２，３４の間に捕捉されて尚早に凝結することが起こりにくい。また、ＳＣＰパネルの生産時、軸２２，２４及び関連付けられている円盤３２，３４は絶えず動いているため、円盤の間に捕捉されたスラリーは迅速に追い出され、埋込み動作が損なわれるような凝結が起こることはない。また、円盤３２，３４の周囲は平らである、又は円盤の平面に垂直であることが好ましいが、テーパーの付いた、又はその他の方式で角度のついた周縁部４０，４２を設けて、なお十分な繊維の埋込みを達成することも考えられる。
【００２１】
本埋込み装置２０の自己清掃特性は、軸２２，２４及び円盤３２，３４を作製するのに使用される材料によっても更に高まる。好ましい実施形態においては、これらの構成要素は、研磨されて比較的なめらかな表面が得られたステンレス鋼から成る。また、ステンレス鋼は、耐久性及び耐食性において好ましいが、それ以外の材料として、プレキシグラス或いはその他の特に設計されたプラスチック材料など、耐久性及び耐食性があり粘着性のない材料も考えられる。
【００２２】
更に、移動ウエブ１４に対する軸２２，２４の高さは、スラリー１６への繊維１８の埋込みを促進するために調整可能であることが好ましい。円盤３２は搬送体ウエブ１４とは接触しないが、スラリーへの繊維１８の埋込みを促進するために、スラリー１６の中に十分に延在していることが好ましい。搬送体ウエブ１４から軸２２，２４までの具体的な高さは、用途に適するように変えることができ、特に、主円盤３２の直径、スラリーの粘性、スラリー層１６の厚さ、繊維１８の埋込みの望ましい程度によって影響される。
【００２３】
次に、図４を参照する。第１の軸２２上の複数の主円盤３２は、スラリー１６に繊維１８を埋め込む目的で第１の溝パターン４４（実線）がスラリー１６に形成されるように、フレーム１２に対して配置されている。溝パターン４４は、円盤３２によって形成される一連の谷部４６と、スラリー１６が各円盤の側面に押されるために円盤の間に位置する山部４８とを含んでいる。繊維１８はスラリー１６の上面５０の上に堆積したばかりであるため、第１の溝パターン４４の形成によって特定の割合の繊維がスラリーと混合する。軸２２，２４が回転して関連付けられている円盤３２，３４が回転するとき、搬送体ウエブ又はベルト１４も、第１の軸２２から移動方向「Ｔ」に第２の軸２４へ移動することが理解されるであろう（図２）。このようにして、繊維１８の埋込みを促進する動的な攪拌運動も形成される。
【００２４】
スラリー１６は、第１の軸２２の円盤３２の近くから離れた直後、第２の軸２４の円盤３２（破線で示してある）に遭遇し、この円盤によって第２の溝パターン５２が形成される。各軸２２，２４の円盤３２の位置が横にずれているため、いずれの部分においても第２の溝パターン５２はパターン４４と反対である、すなわち、山部５４が谷部４６に置き換わり、谷部５６が山部４８に置き換わる。溝パターン４４，５２が正弦波にほぼ似ていることにおいて、溝パターン４４，５２は互いに位相がずれていると言うこともできる。この横にずれた溝パターン５２によってスラリー１６が更に攪拌され、繊維１８の埋込みが促進される。言い換えれば、軸２２，２４の噛み合った状態の円盤３２が回転することによって、スラリーの揉み作用又は捏ね作用が形成される。
【００２５】
従って、本埋込み装置は、切断されたガラス繊維を移動するスラリー層に組み入れる、又は埋め込む機構を提供する。本装置の重要な特徴は、各軸の円盤が互いに重なって噛み合っており、スラリーが装置内で詰まったり捕捉される可能性が最小になる方式で、スラリーに対する捏ね、揉み、又は攪拌作用を提供することである。
【００２６】
繊維によって強化されるスラリー用の埋込み装置の特定の実施形態を図示して説明したが、当業者には、添付の請求項に記載されている、より広い側面における本発明から逸脱することなく、本発明に変更及び修正を行うことができることが理解されるであろう。
【図面の簡単な説明】
【００２７】
【図１】構造用スラリーボードの生産ラインにおける本埋込み装置の上面斜視図である。
【図２】図１の埋込み装置を上から見た部分平面図である。
【図３】図２の埋込み装置の側面図である。
【図４】本埋込み装置によってスラリーに形成される埋込み軌跡・溝のパターンの概略図である。
【図１】
2007505768.tif 000003
【図２】
2007505768.tif 000004
【図３】
2007505768.tif 000005
【図４】
2007505768.tif 000006
【国際調査報告】
2007505768.tif 000007
2007505768.tif 000008